(57)【特許請求の範囲】
【請求項１】
帯状に形成されたリストバンド本体を手首等に巻き付け、リストバンド本体の両端部に形成された止穴に止具を差し込んで固定するリストバンドにおいて、
前記止具は、前記止穴に差し込まれる突起部を備えた雄フックと、
その突起部が嵌合される穴部を備えた雌フックと、
その雄フックと雌フックとを連結する可撓性を有する連結帯と、からなり、
前記リストバンド本体の縁部には、前記止具の連結帯が嵌入する切欠き部が形成されていることを特徴とするリストバンド。
【請求項２】
前記リストバンド本体は、両縁部分がカーブを持った波形に形成されていることを特徴とする請求項１に記載のリストバンド。
【請求項３】
前記止穴は、リストバンド本体の一端に少なくとも１つ形成されるとともに、他端に複数形成され、他端に複数形成された止穴は、一端に少なくとも１つ形成された止穴の径よりも大きく形成されていることを特徴とする請求項１に記載のリストバンド。
【発明の詳細な説明】
【０００１】
【発明の属する技術分野】
本発明はリストバンドに係り、特に病院等で患者の手首や足首等に取り付けて患者の識別等に使用するリストバンドに関する。
【０００２】
【従来の技術】
病院などでは、たとえば患者や新生児の管理、識別などのために、名前やバーコードデータなどをプリントしたリストバンドを患者の手首等に取り付けることがある。
【０００３】
一般に、この種のリストバンドは、帯状に形成されたリストバンド本体に所定の情報をプリンタでプリントし、そのプリントされたものを手首等に巻き付けて、テープや止具で固定するという構成を採っている。
【０００４】
【発明が解決しようとする課題】
しかしながら、従来のリストバンドは、その縁部がストレートに形成されているため、手首等に装着した際、縁部が接触すると強い違和感があるという欠点があった。
【０００５】
また、止具で固定するタイプのリストバンドは、連結箇所がグラツクとともに、止具に遊びが生じてしまい、装着性が悪いという欠点があった。
【０００６】
本発明は、このような事情に鑑みてなされたもので、装着性に優れたリストバンドを提供することを目的とする。
【０００９】
【課題を解決するための手段】
本発明は前記目的を達成するために、帯状に形成されたリストバンド本体を手首等に巻き付け、リストバンド本体の両端部に形成された止穴に止具を差し込んで固定するリストバンドにおいて、前記止具は、前記止穴に差し込まれる突起部を備えた雄フックと、その突起部が嵌合される穴部を備えた雌フックと、その雄フックと雌フックとを連結する可撓性を有する連結帯と、からなり、前記リストバンド本体の縁部には、前記止具の連結帯が嵌入する切欠き部が形成されていることを特徴とするリストバンドを提供することを目的とする。
【００１０】
本発明によれば、連結帯をリストバンド本体に形成された切欠き部に嵌入することにより、連結箇所でグラツキが生じるのを防止できるとともに、連結帯の遊びを防止でき、良好な装着感を得ることができる。
【００１１】
また、本発明は前記目的を達成するために、前記リストバンド本体は、両縁部分がカーブを持った波形に形成されていることを特徴とする請求項１に記載のリストバンドを提供する。
【００１２】
本発明によれば、両縁部分がカーブを持った波形に形成されているため、より良好な装着感を得ることができる。
【００１３】
また、本発明は前記目的を達成するために、前記止穴は、リストバンド本体の一端に少なくとも１つ形成されるとともに、他端に複数形成され、他端に複数形成された止穴は、一端に少なくとも１つ形成された止穴の径よりも大きく形成されていることを特徴とする請求項１に記載のリストバンドを提供する。
【００１４】
本発明によれば、リストバンドの他端に複数形成された止穴の径が、リストバンドの一端に少なくとも１つ形成された止穴の径よりも大きく形成されているので、止具による固定作業が容易になる。
【００１５】
【発明の実施の形態】
以下添付図面に従って本発明に係るリストバンドの好ましい実施の形態について詳説する。
【００１６】
図１は、本発明に係るリストバンドの第１の実施の形態の構成を示す平面図である。同図に示すように、このリストバンド１０は、たとえば病院等で患者の手首や足首に巻き付けて、患者の管理、識別に用いられるもので、リストバンド本体１２と、そのリストバンド本体１２の裏面に貼着された粘着テープ１４とで構成されている。
【００１７】
リストバンド本体１２は帯状に形成されており、その両縁部分１２ａ、１２ａはカーブを持った波形に形成されている。そして、その表面には科名１６ａ、病棟名１６ｂ、氏名１６ｃ、及び、これらの情報等がコード化された二次元コード１６ｄとバーコード１６ｅがプリントされている。
【００１８】
図２は、リストバンド本体１２の断面構造を示す斜視図である。リストバンド本体１２は、表面へのプリント適性、装着した際の皮膚への接触感覚性、及び、適度な強度を確保するために５層で構成されている。すなわち、皮膚への接触感覚性を持たせるため、第１層は不織布１２Ａで構成され、その上面に強度を確保するための厚紙１２Ｂが貼付されている。そして、その上面に接着剤１２Ｃを介してサーマル合成紙１２Ｄが貼付され、更にその上面にトップコート層１２Ｅが塗布されてプリント適正が確保されている。
【００１９】
ここで、第１層を構成する不織布１２Ａは、たとえばポリエチレン製であり、高密度のポリエチレン繊維を紡糸し、分散させて熱と圧力とで繊維同士を結合させてシート状にしたものが用いられている。このような不織布は、引張／引裂強度が大きく、軽く、また、優れた耐水性、耐薬品性、通気性、透湿性、バクテリアバリア性を有しており、人間の皮膚への刺激性及び感作性がないという特質を有している。また、連続した長繊維で作られるため、一般的な使用条件の下では殆どリント（綿クズ）が発生しないという特質を有している。なお、この不織布に代えて第１層を布、基材で構成してもよい。
【００２０】
また、第２層を構成する厚紙１２Ｂは、合成紙の糊なし厚紙を使用することにより、製造コストを低減することができる。
【００２１】
さらに、厚紙１２Ｂとサーマル合成紙１２Ｄとを接合する接着剤１２Ｃは、溶剤系、エマルジョン系、ホットメルト系などの各種接着剤を使用できるが、耐水性、耐アルコール性、耐汗性、耐折れ曲げ性を配慮したものを選択して使用することが好ましい。また、さらに好ましくは接着後固化する固形の接着剤（ドライラミネーション）を使用することが好ましい。このような固形の接着剤は、糊の染みだしが少なく、人間の皮膚への刺激性が少ないとともに、カッター適性も優れるという効果が得られる。
【００２２】
粘着テープ１４は、リストバンド本体１２の裏面一端に所定の幅をもって貼付されており、その表面には剥離紙（図示せず）が仮着されている。
【００２３】
以上のように構成された本実施の形態のリストバンド１０の作用は次の通りである。
【００２４】
プリンタで表面に所定の情報がプリントされたリストバンド本体１２は、その裏面に貼付された粘着テープ１４の剥離紙を剥離して、患者の手首等に巻き付ける。そして、その巻き付けたリストバンド本体１２の表面に粘着テープ１４を貼り付ける。これにより、リストバンド１０が患者の手首等に固定され、装着される。
【００２５】
装着されたリストバンド１０は、両縁部分１２ａ、１２ａが波形に形成されているため、縁部分が肌と接触しても点接触となるため、負担が少なく、良好な装着感を得ることができる。また、リストバンド１０の裏面は、不織布１２Ａで構成されているため、肌への刺激が少なく、長時間装着していても患者に不快感を与えることがない。
【００２６】
また、厚紙１２Ｂの層を有することにより、適度な強度を確保することができ、プリンタでのプリント時も取り扱いが容易になる。
【００２７】
なお、リストバンド本体１２の両縁部分１２ａ、１２ａに形成する波形はカーブを有するものであればよく、その間隔や大きさなどは特に本実施の形態のものに限定されるものではない。
【００２８】
次に、本発明に係るリストバンドの第２の実施の形態について説明する。第２の実施の形態のリストバンド２０は、図３に示すリストバンド本体２２を手首等に巻き付け、図４に示す止具２４で固定して使用する。
【００２９】
リストバンド本体２２は帯状に形成されており、その表面には科名２６ａ、病棟名２６ｂ、氏名２６ｃ、及び、これらの情報等がコード化された二次元コード２６ｄとバーコード２６ｅがプリントされている。
【００３０】
また、このリストバンド本体２２の一端には、円形状の止穴２８Ａが１つ形成されており、他端には楕円形状の止穴２８Ｂ、２８Ｂ、…が複数一定ピッチで形成されている。手首等への装着は、リストバンド本体２２を手首等に巻き付けるとともに、その手首等のサイズに合わせて両端の止穴２８Ａ、２８Ｂの位置を調整し、その位置合わせした止穴２８Ａ、２８Ｂに止具２４を嵌め込んで装着する。なお、複数形成された楕円形状の止穴２８Ｂは、止具２４を取り付けやすくするため、一方の止穴２８Ａの径よりも大きく形成されている。
【００３１】
また、このリストバンド本体２２には、各止穴２８Ａ、２８Ｂの両脇部分にＵ字状の切欠き部３０Ａ、３０Ｂが形成されている。この切欠き部３０Ａ、３０Ｂには、次述する止具２４の連結帯３６が嵌合する。
【００３２】
なお、このリストバンド本体２２は上述した第１の実施の形態のリストバンド本体１２と同様に５層で構成されており、表面へのプリント適性、装着した際の皮膚への接触感覚性、及び、適度な強度が確保されている。
【００３３】
止具２４は、図４に示すように、雄フック３２、雌フック３４、連結帯３６で構成されており、たとえばプラスチックによって一体に成形されている。
【００３４】
雄フック３２は円盤状に形成されており、その中央部に円柱状の突起部３２Ａが垂直に立設されている。
【００３５】
一方、雌フック３４はドーナツ状に形成されており、その中央に形成された穴部３４Ａは、前記雄フック３２に形成された突起部３２Ａの外径と略同径に形成されている。
【００３６】
ここで、前記突起部３２Ａの先端には、円錐台形状の係止部３２Ｂが形成されており、この係止部３２Ｂから雌フック３４の穴部３４Ａを押し込むと、その穴部３４Ａは弾性変形して突起部３２Ａに嵌入される。したがって、この雄フック３２の突起部３２Ａをリストバンド本体２２の止穴２８Ａ、２８Ｂに嵌め込み、雌フック３４の穴部３４Ａを嵌入させれば、リストバンド本体２２は止具２４で両端部を固定できる。
【００３７】
連結帯３６は、雄フック３２と雌フック３４とが分離しないように連結するものであり、帯状に形成されている。この連結帯３６は可撓性を有しており、雄フック３２と雌フック３４とを係合させる場合は、この連結帯３６を屈曲させて連結する。
【００３８】
前記のごとく構成された本実施の形態のリストバンド２０の作用は次のとおりである。
【００３９】
表面に所定の情報がプリントされたリストバンド本体２２は、まず、その一端に形成された止穴２８Ａに止具２４を取り付ける。すなわち、雄フック３２の突起部３２Ａを止穴２８Ａに嵌め込む。そして、手首等に巻き付け、巻き付けた手首等のサイズに合わせて、最適な位置の止穴２８Ｂに雄フック３２の突起部３２Ａを嵌め込む。これにより、リストバンド本体２２が手首等に仮止めされる。
【００４０】
ここで、図５に示すように、手首等に仮止めされたリストバンド本体２２は、一方の止穴２８Ａの両脇に形成された切欠き部３０Ａの位置と、他方の止穴２８Ｂの両脇に形成された切欠き部３０Ｂの位置とが互いに合致する。この互いに合致した切欠き部３０Ａ、３０Ｂに連結帯３６を嵌め込むようにして折り曲げ、雄フック３２の突起部３２Ａに雌フック３４の穴部３４Ａを嵌め込む。これにより、止穴２８Ａ、２８Ｂが止具２４によって固定され、リストバンド２０が手首等に装着される。
【００４１】
ところで、上記のようにして手首等に固定されたリストバンド２０は、図５に示すように、止具２４の連結帯３６がリストバンド本体２２に形成された切欠き部３０Ａ、３０Ｂに嵌まり込んでいるため、この連結帯３６がリストバンド本体２２の動きを規制する働きをする。これにより、リストバンド本体２２が連結箇所でぐらつくのを防止できる。また、連結帯３６が切欠き部３０Ａ、３０Ｂに嵌まり込むことにより、連結帯３６自体の遊びがなくなり、装着感が向上する。
【００４２】
このように本実施の形態のリストバンド２０によれば、リストバンド本体２２の両縁部に切欠き部３０Ａ、３０Ｂを形成することにより、この切欠き部３０Ａ、３０Ｂに止具２４の連結帯３６を嵌め込むことができる。これにより、連結部におけるぐらつきを防止できるとともに、止具２４の遊びを防止でき、良好な装着感を得ることができる。
【００４３】
図６は、本発明に係るリストバンドの第３の実施の形態の構成を示す平面図である。なお、
第３の実施の形態のリストバンド４０は、上述した第２の実施の形態のリストバンド本体２２の両縁部分２２ａ、２２ａを波形としたものである。この場合において、リストバンド本体２２の両縁部に形成される切欠き部３０Ａ、３０Ｂは、波の山部分にのみ形成されている。
【００４４】
本実施の形態のリストバンド４０によれば、リストバンド本体２２の両縁部分２２ａ、２２ａが波形に形成されているため、縁部分が肌と接触しても負担が少なく、良好な装着感を得ることができる。さらに、縁部に切欠き部３０Ａ、３０Ｂが形成されているため、この切欠き部３０Ａ、３０Ｂに止具２４の連結帯３６を嵌め込んで、止具２４の遊びを防止できる。これにより、より良好な装着感を得ることができる。
【００４５】
なお、波形に形成された縁部２２ａの谷の部分に止具２４が位置決めされたときは、一端の止穴２８ａ側の切欠き部３０Ａのみで止具２４の遊びを防止するが、厚紙の層（図２の１２ｂ）を含んだ複数層で作成されていることにより、適度な強度を確保することができるので、グラツキにくいものである。
【００４６】
図７は、本発明に係るリストバンドの第４の実施の形態の構成を示す平面図である。なお、
第４の実施の形態のリストバンド５０は、上述した第２の実施の形態のリストバンド本体２２の一端を細幅に形成したものである。この場合において、切欠き部３０Ａは、一方の止穴２８Ａの両脇にのみ形成される。
【００４７】
本実施の形態のリストバンド４０によれば、切欠き部３０Ａに止具２４の連結帯３６を嵌め込んで、止具２４の遊びを防止できるので、良好な装着感を得ることができる。
【００４８】
なお、上述した一連の実施の形態では、病院で患者の識別等に利用されるリストバンドを例に説明したが、本発明はこの他の分野で使用されるリストバンドにも同様に適用することができる。
【００４９】
また、リストバンド１０の表面にプリントする情報も適宜変更して使用することが好ましい。
【００５０】
【発明の効果】
以上発明したように、本発明によれば、リストバンド本体に切欠き部を形成することにより、この切欠き部に止具の連結帯を嵌入でき、これにより、連結箇所におけるグラツキを防止できるとともに、連結帯の遊びがなくなり、良好な装着感を得ることができる。
【図面の簡単な説明】
【図１】本発明に係るリストバンドの第１の実施の形態の構成を示す平面図
【図２】リストバンド本体の断面構造を示す斜視図
【図３】本発明に係るリストバンドの第２の実施の形態の構成を示す平面図
【図４】止具の構成を示す斜視図
【図５】リストバンドの連結部の構成を示す斜視図
【図６】本発明に係るリストバンドの第３の実施の形態の構成を示す平面図
【図７】本発明に係るリストバンドの第４の実施の形態の構成を示す平面図
【符号の説明】
１０…リストバンド、１２…リストバンド本体、１２ａ…リストバンド本体の両縁部分、１４…粘着テープ、１２Ａ…不織布、１２Ｂ…厚紙、１２Ｃ…接着剤、１２Ｄ…サーマル合成紙、１２Ｅ…トップコート層、２０…リストバンド、２２…リストバンド本体、２２ａ…リストバンド本体の両縁部分、２４…止具、２８Ａ、２８Ｂ…止穴、３０Ａ、３０Ｂ…切欠き部、３２…雄フック、３２Ａ…突起部、３４…雌フック、３４Ａ…穴部、３６…連結帯、４０…リストバンド、５０…リストバンド
【図１】
0004493820.tif 000002
【図２】
0004493820.tif 000003
【図３】
0004493820.tif 000004
【図４】
0004493820.tif 000005
【図５】
0004493820.tif 000006
【図６】
0004493820.tif 000007
【図７】
0004493820.tif 000008